(57)【要約】マトリックス表示装置は、反転駆動スキームを用いて、駆動信号電圧に応答して表示出力を生成する複数の画素のアレイを備えている。表示アーチファクト、特にフリッカは、反対の極性のそれぞれの駆動信号に予めアドレス指定された２つの画素を互いに並列に接続すると共に、２つの画素に存在するＤＣオフセットに起因する２つの画素に蓄積された電荷における差により引き起こされた残差の電圧を測定することにより、訂正される。この測定された電圧は、この測定された電圧を、例えばゼロにまでに低減させるためにこれらの画素におけるその後の駆動信号電圧を修正するために用いられ、これにより、これらの画素におけるＤＣオフセットにより引き起こされる表示アーチファクトを低減することができる。この発明は、特に透過可能型の液晶表示装置に適用可能である。
2005501272.tif 000002
【特許請求の範囲】
【請求項１】
周期的に反転される駆動信号電圧の極性により、アドレス期間の間に、駆動回路手段により供給される駆動信号電圧に応答して、表示出力を生成する複数の画素のアレイと、表示アーチファクトを訂正するための駆動信号を修正する訂正手段とを備えるマトリックス表示装置であって、
前記訂正手段は、対応するアドレス期間の間に、反対の極性を有するそれぞれの駆動信号によりアドレス指定されたように配置される２つの画素を備えると共に、
前記訂正手段は、前記対応するアドレス期間に引き続く測定期間の間に、前記２つの画素を互いに並列になるように接続し、接続された前記２つの画素における電圧を測定するように配置され、前記訂正手段は前記測定された電圧にしたがって画素のための前記駆動信号電圧を修正するマトリックス表示装置。
【請求項２】
前記訂正手段はさらに、前記測定期間の間だけ前記２つの画素が互いに並列に接続されるように動作可能な切換手段を備える請求項１に記載のマトリックス表示装置。
【請求項３】
前記アレイにおけるそれぞれの画素は、ロウコンダクタおよびカラムコンダクタが交差するコンダクタのセットの交差部に形成され、駆動信号電圧が供給される２つの対向電極の間に配置された電気光学表示セルを備えている請求項１または請求項２の何れかに記載のマトリックス表示装置。
【請求項４】
１つの画素における複数の前記電極のうちの１つは、アレイにおける全ての画素に共通であり、前記訂正手段は前記共通電極に対して修正された駆動信号電圧を供給するように配置されている請求項３に記載のマトリックス表示装置。
【請求項５】
前記訂正手段は、前記測定期間の間に接続された前記画素の対向電極との間の電位差を測定し、かつ、前記電位差を最小するためにその差に応じた駆動信号電圧を調整する測定手段をさらに備える請求項３または請求項４の何れかに記載のマトリックス表示装置。
【請求項６】
前記訂正手段は、前記測定手段の出力に接続され、タイミング信号が供給されて、このタイミング信号により決定される期間に、前記測定手段の出力に応答して、前記駆動信号電圧を調整するように動作可能なデジタルカウンタ回路をさらに備える請求項５に記載のマトリックス表示装置。
【請求項７】
前記２つの画素のそれぞれは、前記表示セルに並列に接続された蓄積容量を備える請求項３ないし請求項６の何れかに記載のマトリックス表示装置。
【請求項８】
前記表示装置は、透過可能型液晶表示装置を備える請求項１ないし請求項７の何れかに記載のマトリックス表示装置。
【請求項９】
前記２つの画素のそれぞれは、前記第１の表示セルに並列に接続された追加の電気光学表示セルを備える請求項３ないし請求項６の何れかに記載のマトリックス表示装置。
【請求項１０】
前記表示装置は、反射型の液晶表示装置を備える請求項１ないし請求項６または請求項９の何れかに記載のマトリックス表示装置。
【請求項１１】
前記２つの画素は、前記アレイのエッジに配置されたダミー画素を備える請求項１ないし請求項１０の何れかに記載のマトリックス表示装置。
【請求項１２】
複数画素のアレイと、アドレス期間の間に駆動信号電圧の極性が反転されるように駆動信号電圧と共に画素をアドレス可能な駆動回路手段と、駆動信号電圧を修正するための訂正手段と、を備えるマトリックス表示装置を駆動する方法であって、
対応するアドレス期間の間に、反対の極性を有するそれぞれの駆動信号に２つの画素をそれぞれアドレス指定し、
前記対応するアドレス期間に引き続く、測定期間の間に、前記２つの画素を互いに並列に接続し、
接続された前記２つの画素における電圧を測定し、
前記測定された電圧にしたがって複数画素のための前記駆動信号電圧を修正するステップを備える方法。
【発明の詳細な説明】
【技術分野】
【０００１】
本発明は、表示画素を駆動するために駆動回路手段により駆動信号が供給される複数のアドレスコンダクタのセットに接続された電気光学表示画素のアレイを備えるマトリックス表示装置に関する。この発明は、液晶マトリックス表示装置、特にアクティブマトリックス液晶表示（ＡＭＬＣＤ―Active Matrix Liquid Crystal Display―）装置に排他的ではないが特に関連している。
【背景技術】
【０００２】
液晶（ＬＣ―Liquid Crystal―）マトリックス表示装置は、パッシブおよびアクティブの両方とも公知である。このような装置は、普通はモニタや、ラップトップコンピュータや、テレビジョン受像機や類似の工業製品に用いられている。ＡＭＬＣＤの具体的な例やその動作の態様は、米国特許第５，１３０，８２９号に開示されており、その内容は参考文献としてこの明細書に組み入れられる。概略説明すると、このような表示装置は、ロウ（row）とカラム（column）方向にそれぞれ配列されて、それぞれが電気光学セルと関連するスイッチング装置を備えると共に、通常は、薄膜トランジスタ（ＴＦＴ―Thin Film Transistor―）の形式を有する複数の画素からなるアレイを備えている。これらの画素は、ロウおよびカラムアドレスのコンダクタ―conductor／導線―のセットに接続され、各画素は各セットのそれぞれのロウ―行方向―およびカラム―列方向―コンダクタ間の交差部に隣接して配置され、複数画素が、そのロウを選択するために順々に各ロウのコンダクタのそれぞれに供給される選択（走査）信号によりアドレス指定されると共に、カラムアドレスのコンダクタを介してロウ選択信号に同期して供給され、かつ関連する行の個々の画素の表示出力を決定するデータ（映像情報）信号によりアドレス指定されることを介して行なわれる。これらのデータ信号は、カラムアドレスコンダクタに接続されたカラムアドレス回路内の入力映像信号を適切にサンプリングすることにより搬送される。画素の各ロウは、各ロウアドレス期間に交代でアドレス指定されているので、１つのフィールド（フレーム）期間における全体のアレイから表示が構築され、連続するフィールドにおけるこのように繰り返しアドレスされて画素のアレイで表示が行なわれる。複数画素内で発生する損失に依存して、映像信号に規則的に付随させて複数画素をリフレッシュする必要がある。ＡＭＬＣＤの場合、ＬＣセルに供給されるデータ信号電圧の極性は、ＬＣ材料の劣化を防止するため周期的に反転されることが必要である。これは、例えばそれぞれのフィールドの後（いわゆるフィールド反転）であっても良いし、または、それぞれのロウが良好にアドレスされた後（いわゆるラインまたはロウ反転）であっても良い。何れにしても、異なる原因によって、寄生ＤＣオフセットが、液晶材料の層を超えて生成されても良いということが見出された。ＡＭＣＬＤの技術分野でよく知られている現象である、キックバックは、例えば、セル間のＤＣオフセットの原因となる。
【０００３】
このＤＣオフセットは、連続的なフレーム時間におけるそれぞれ反対極性による画素の駆動に影響を与えている。（所与のデータ、（映像データ）、信号のための）連続的なフレーム期間での画素を通過する絶対電圧が異なっているとき、これは、（通常、５０または６０Ｈｚで）用いられるフレーム周波数の半分の周波数でのフリッカを生じさせるであろうし、このフリッカは表示画像内に明らかに視認可能である。
【０００４】
図１は、セルを通過する電圧値Ｖに対する画素のＬＣセルの伝導率Ｔのグラフを示している。この伝導率が実質的には等しいが反対の電圧であること、および、このグラフは垂直軸に対して大体左右対称であること、は理解可能であろう。ＤＣオフセットＹの例がグラフに示されている。カラムアドレスコンダクタによりセルに供給される駆動電圧Ｄは、それゆえにオフセットされている。反転駆動の正の部分については、セルを通過する電圧はＹ＋Ｄである。反転駆動の負の部分については、セルを通過する電圧はＹ−Ｄである。Ｄの所与の値と共に駆動の反対の極性にまで到達された伝導率は異なっておりＸ％だけ変化していることは、理解可能であろう。したがって、安定した駆動データ信号の大きさＤのためには、セル伝導率は２つのフレーム期間を超えてＸ％だけ変化するであろう。これはフレーム周波数の半分でのフリッカの原因になっている。
【０００５】
このようにして提示されたフリッカを低減するため、セルを通過して供給される電圧を調節することが公知である。例えば、これは連続するフレームのための共通電極における電圧を調節することにより行なうことができる。共通電極は、所定の駆動スキームにより駆動される。例えば、共通電極の電圧は矩形波により変調されている。ＤＣオフセットを訂正するために、駆動スキームの波形の平均ＤＣが最高最低ＡＣ電圧を変更することなく調整される。共通電極は、具体的には全ての画素に対して共通する透明電極である。
【発明の概要】
【０００６】
要求される電圧レベルを共通電極に設定するための、従来の技術は、装置を製造する時点での手動による調整手続きである。これは、時間を消費すると共に高価である。
【０００７】
その内容が参考資料としてこの明細書に組み入れられる、国際出願ＷＯ９９／５７７０６号は、電圧差が反対の極性により駆動されるダミー画素を通過して測定される、フリッカセンサを開示している。ダミー画素は、画像生成表示部を形成する画素と同様に同一の環境を有している。関連する電圧差は、ｍＶのオーダ―単位―である。ＬＣセルを通過する如何なる漏れも、共通電極の駆動スキームの波形を掻き乱すことになる。したがって、電圧における差は測定することが非常に難しいことになる。
【０００８】
したがって、本発明は、上述したタイプの改善されたマトリックス表示装置を提供することを目的としている。本発明は、上述した欠点を少なくとも部分的に未然に防ぐことを他の目的としている。
【０００９】
本発明の１つのアスペクトによれば、周期的に極性が反転されている駆動信号電圧を有するアドレス期間の間に駆動回路手段により供給される駆動信号電圧に応答する表示出力を生成するための複数画素のアレイと、表示アーチファクト―生成物―を訂正するための駆動信号を変更修正する訂正手段とを備えるマトリックス表示装置であって、前記訂正手段は、対応するアドレス期間の間に、反対の極性を有するそれぞれの駆動信号により前記駆動回路手段によりアドレス指定されるように配置された２つの画素を備えると共に、前記訂正手段は、前記対応するアドレス期間に引き続く測定期間に、前記２つの画素を互いに並列になるように接続し、接続された前記２つの画素における電圧を測定するように配置され、前記訂正手段は前記測定された電圧にしたがって画素のための前記駆動信号電圧を修正するように配置されている。
【００１０】
この発明は、フリッカ効果を低減させることができる。接続された画素は、画素内にＤＣオフセットが存在しているときに、非ゼロ―non-zero―電圧を生成している。この電圧は測定され、これに応答して駆動信号が変調されるので、次のフレーム期間の間に、測定された電圧をゼロに向かって低減することができる。したがって、ＤＣオフセットは、修正されて、これによりフリッカは低減される。
【００１１】
好適な実施形態において、アレイ内の各画素は、ロウコンダクタおよびカラムコンダクタの交差するセットの交差部に形成され、駆動信号電圧が供給される２つの対向電極間に配置された電気光学表示セルを備えている。訂正手段はさらに、測定期間に接続された画素の対向電極を横切る電位差を測定すると共に、この電位差に応じて駆動信号電圧を調整するための測定手段を備えているので、この電位差を最少化し、すなわち差をゼロに向かわせる傾向がある。調整された駆動電圧は、全ての画素に共通する電極へと供給されても良い。
【００１２】
この発明の他のアスペクトによれば、複数画素のアレイと、アドレス期間の間に駆動信号電圧の極性が反転されるように駆動信号電圧と共に画素をアドレス可能な駆動回路手段と、駆動信号電圧を修正するための訂正手段と、を備えるマトリックス表示装置を駆動する方法であって、以下のステップを備える：
−対応するアドレス期間の間に、反対の極性を有するそれぞれの駆動信号に２つの画素をそれぞれアドレス指定し、
−前記対応するアドレス期間に引き続く、測定期間の間に、前記２つの画素を互いに並列に接続し、
−接続された前記２つの画素における電圧を測定し、
−前記測定された電圧にしたがって複数画素のための前記駆動信号電圧を修正する。
【００１３】
この発明の更なる特徴および利点は、例示のみの方法で与えられ、かつ添付の図面を参照する、好適な実施形態の以下の説明を読むことにより明らかとなるであろう。
【００１４】
添付の図面は単に概略的なものであり縮尺を示すものではないことは理解されるべきである。とりわけ、特定の寸法が拡張されてその他の寸法が縮小されているかもしれない。同一の参照符号は、同一または相当する部分を示すものとして全図を通して用いられている。
【００１５】
以下、図２および図３を参照しながらこの発明の第１実施形態について説明する。図２はこの発明の第１実施形態に係り、かつＡＭＬＣＤを備える表示装置の一部分を概略的に示す回路図である。この装置は、透過可能―transmissive―型の装置であり、ここで、この明細書の中で用いられている「透過―transmission―」という用語は、ＬＣセルとの関連により適宜に解釈されるべきである。図３は、この回路の動作において供給される種々の信号波形を示している。２つのダミー画素３１が示されている。それぞれのダミー画素３１は、装置の表示画素のアレイにおける１つの表示画素と等価であり、ＴＦＴ３７の形状におけるスイッチング素子を備えており、そのゲートはそれぞれのロウ（選択）コンダクタ３２に接続され、そのソースおよびドレイン電極はそれぞれのカラム（データ）コンダクタ３３および画素電極３５にそれぞれ接続されて、表示画素としての同一種類の駆動信号（選択およびデータ）により駆動されている。これらは、表示領域のエッジに隣接して配置されており、表示画素の画像生成アレイの部分を形成していない。ロウ駆動回路からの駆動（選択）信号はそれらのＴＦＴ３７をオンさせることにより画素を選択し、このときＴＦＴのゲート電極はロウコンダクタ３２に電気的に接続され、ソース電極はカラムコンダクタ３３に電気的に接続されている。各ダミー画素３１について、カラムコンダクタ３３に現れる信号は、ドレイン電極に接続されると共にＬＣセルの第１のサイドを形成する画素電極３５に対して、ＴＦＴ３７を介して送られる。セルの対向電極は、共通電極３６のそれぞれの部分を備えている。したがって、各ＬＣセルは、図面に示されているようにして平行プレートキャパシタとして動作している。蓄積キャパシタ３８は、従来と同様に、各ＬＣセルに並列に接続されている。
【００１６】
ダミーセル３１は、好ましくは表示アレイと並列となる構成をなして同一の周囲の状況を有している。したがって、これらは、表示される画像のフリッカを結果として生ずる可能性を有する同一のＤＣオフセットを経験する。
【００１７】
２つのダミーセル３１は、同一の電圧の大きさを有してはいるが反対の極性を有する参照データと共に、ロウアドレス期間に対応するアドレス期間ｔＡ  の間に、アドレスされている。このアドレス期間の後で、さらにフレーム期間の残り期間の間に、画素の蓄積部に蓄積された電圧は僅かに変化するであろう。
【００１８】
図４は、幾つかのフレーム期間を超える従来のタイプのＡＭＬＣＤの場合に蓄積された画素電圧の変化の性質を示している。このプロット（グラフ上の表示）は、周期的に反転される駆動電圧が上述したような電気的な非対称性によりオフセットされているセルを通過する電圧を示している。したがって、フリッカを修正するために取り入れられる如何な
る測定も、好ましくはフレーム期間ｔＦ  の終わりで取り込まれることが好ましい。このセルを通過する電圧の進展と同様に、セルのキャパシタンスも時間や電圧と共に変化する。したがって、ＤＣオフセットに起因して、キャパシタのプレートのうちの１つに蓄積された電荷は、反転周期の正および負の部分の間で等しい大きさにはならないであろう。この特性は、フリッカセンサを提供することにより活用されており、このセンサはダミー画素の２つの画素電極に蓄積される電荷における差分を測定することによっている。
【００１９】
図２の装置において、同様の変化が初期のフレーム期間における画素電圧に対して発生するが、以下の説明から明らかとなるであろうように、その後の効果は異なっている。
【００２０】
再び図２を参照すると、フレーム期間ｔＦ  の終わりに向かって、好ましくは２極のスイッチ３９がフレーム期間ｔＦ  の終わりに近づいた比較的短い期間を有する測定期間ｔＭ  の間に閉止される。これは、逆極性にチャージされたダミー画素３１の複数の画素電極３５を共にショートさせる。フレーム期間の終わりで蓄積された電荷の差は、短絡状態が測定期間ｔＭ  を越えて生じたときに、ダミー画素の画素電極では非ゼロの電圧を結果として生ずるであろう。このスイッチ３９は、ダミー画素のキャパシタンスとしてのオフ状態における低い漏れであることが好ましく、その結果、蓄積された電荷は、相対的に低くなる。スイッチ３９の出力は、比較器４０の１つの入力に接続されている。共通電極３６の電圧供給線は前記比較器４０の第２の入力に接続されている。したがって、比較器４０は、接続された画素の、対向電極３５および３６を越える、電位差を測定するように配置されている。比較器に対する入力電圧は、測定期間ｔＭ  の後に、ダミー画素に蓄積された電荷に類似・相似している。この比較器は好ましくは、非常に高いインピーダンスで非常に高いゲインである。比較器４０からの出力は、ラッチ回路４１，例えばフリップフロップの第１の入力に接続されている。（その相対的なタイミングが図３に示されている）タイミングパルスｔＴ  は、入力４５からラッチ回路４１の第２の入力へと供給されている。ラッチ回路４１の出力は、カウンタ４２の第１の入力に接続されている。インバータ４６は、その入力にタイミングパルスｔＴ  を供給されて、カウンタ４２の第２の入力に接続された出力を有している。カウンタ４２は、ラッチ回路４１を通過した信号の極性にしたがって、デジタル・アナログ変換器（ＤＡＣ―Digital-to-Analogue Converter ―）４３を１つの値だけ増加または低下させるように値を逓増または逓減させる。ＤＡＣ４３はその後、次のフレーム期間の間に、バッファ４４を介して、共通電極３６における電圧を調整しているので、比較器４０により測定された電位差を最小化することができ、換言すれば、この差がゼロになるようにすることができる。
【００２１】
第１実施形態におけるフリッカセンサは、２つ以上のダミーセルで構成することもできるものと考えられる。例えば、画素の全く同一の２つのロウが、反対の極性で等しい電圧にチャージすることが可能であろう。この構成の利点は、画素電極３５の増大された領域によって、より大きな残留電荷を結果として生ずることになるであろうし、この領域はフリッカ修正における、より高い精確さを導き出すキャパシタ４０により検知することが、より容易になることである。例えば、相互に接続された複数の画素をそれぞれ有する１対のロウを用いることにより、２つ以上のダミー画素を用いる他の利点は、不完全な画素を原因とする何れかの不精確さがそのロウにおける残りの画素にわたって平均化されるという点にある。
【００２２】
さらに、ダミー画素３１はサイズの上で大きくされる可能性があるので、各画素のキャパシタンスを増大させることができるものと考えられる。さらにまた、比較器４０により検知される残余の電圧を増加させるであろうし、これにより修正の精密さを増加させるであろう。
【００２３】
上述した実施形態は、透過可能なタイプの表示装置に関するものに限られず、この発明がまた反射タイプのＡＭＬＣＤにも適用可能であることも考えられる。このタイプの表示装置においては、通常は反射電極が透過可能タイプのものとは異なる材料から作成されている。これは、並列接続された蓄積キャパシタ３８を横切っては設けられていないＬＣセルを通過する固有のＤＣオフセットを生成している。したがって、図２の実施形態に示されている蓄積キャパシタ３８の代わりに、存在しているＬＣセル３４に並列に追加のＬＣセルを接続することが必要となるであろう。
【００２４】
図５によれば、図２により説明したように、フリッカ修正回路が幾つかのフレーム上の共通電極の電圧を調整しているので、セルＶを通過する電圧が駆動電圧Ｄとなる傾向があることが分かる。少ない回数の測定は、図５に示されるように、少ない回数のフレーム期間ｔＦ  を通過するのに十分であろう。他の実施形態において、測定と修正は１度例えばマトリックス表示装置上でスイッチングがなされたときか、または周期的に行なわれる。
【００２５】
この発明による表示装置の好適な実施形態は、図６に概略的に示されている。ここでは符号６０を付された表示装置は、表示領域を形成する表示画素のアレイを有する表示パネル６１を備えるＡＭＬＣＤである。各画素は、従来のＡＭＬＣＤと同様に、対応するロウコンダクタ３２およびカラムコンダクタ３３によりアドレスされている。ロウドライバ回路５１およびカラムドライバ回路５２は、パネルのそれぞれのエッジに隣接して配置されている。ロウドライバ回路５１は、同時に１つのロウの複数の画素を選択する。順々に、複数の画素の選択されたロウが、関連するカラムコンダクタ３３を介して、カラムドライバ回路５２からのデータ信号によりアドレスされる。
【００２６】
ダミー画素３１は、表示パネル６１のその他のエッジに隣接して配置されている。それらは、表示画素アレイにおける複数の画素と同様に、ロウコンダクタおよびカラムコンダクタによりアドレスされることができる。それらは、上記の説明のように、反対の極性のデータ信号によりチャージされる。接続６２は、それぞれの画素電極３５と、図２に示されるようなフリッカ修正回路との間に作られている。
【００２７】
この回路は、ドライバＩＣから、または、これらの中で関連されて、遠く離れていても良い。図６に示された好適な実施形態において、例えば多結晶シリコン技術を用いて、パネル６１はタイミングおよび制御回路６３を備え、この回路に対しては画像信号が供給され、この回路はカラムドライバ回路に対してデータ信号を提供し、かつ、ロウドライバ回路に対してはタイミング信号を提供すると共に、共通電極に対して電圧信号を提供している。制御回路６３はフリッカ修正回路を備えており、ダミー画素からの電圧はこの回路に供給されている。
【００２８】
ダミー画素は好ましくは、ミッドレンジ（中点値）グレイスケールに対応したデータ信号によりアドレスされる。これは、フリッカ効果を増大させてフリッカの検出をより容易にさせる。
【００２９】
図７を参照して、例えば同一のロウに設けられて修正回路内での使用のために同一の極性でチャージされるような、ダミー画素３１は、各々のダミー画素３１のために変形された形状の画素電極３５を用いることにより相互に接続されていても良い。タブ７１は隣接する画素電極と互いに接続するために用いられている。それぞれの画素電極の増加された領域を補償するために、タブ７１に追加された同一の領域のタブ７２が、それぞれの画素電極３５の例えば角部に、領域から離れて設けられている。これは、ダミー画素のキャパシタンスが表示画素のキャパシタンスに等しいことを保証している。
【００３０】
ダミー画素３１が修正回路内に用いられていることは好ましいことではあるが、表示領域の一部分を形成している画素がこの機能のために用いられていることは考えられる。
【００３１】
この発明の更なる実施形態は、図２を参照しながら説明した実施形態で用いられていたデジタルカウンタシステムとは対照的なアナログシステムを備えている。この実施形態において、前述と同様に、再び複数のダミー画素は共にショートさせられる。しかしながら結果として生じた（合成）信号は、積分器へと通過させられる。この積分器は、フレーム期間ｔＦ  の複数回において時定数を有するように選択されている。積分器の出力は、その後アナログまたはデジタル領域の何れでも処理可能であり、その結果は前述したところと同様に、共通電極３６を調整するために用いられている。
【００３２】
ＡＭＬＣＤに関連して特に詳細に説明したが、本発明はまた、ＤＣオフセット電圧効果の影響を弱めるパッシブタイプのＬＣＤに適用可能であり、容量―capasitive―タイプの電気光学表示画素のアレイを有する他のタイプのマトリックス表示装置にも適用可能である。
【００３３】
この明細書に説明されている装置の概要としては、マトリックス表示装置は、反転駆動スキーム―方式―を有する信号電圧を駆動するのに応答して表示出力を生成するための複数の画素のアレイを備えている。表示上のアーチファクト―生成物―特にフリッカは、反対の極性のそれぞれの駆動信号電圧により予めアドレスされると共に、複数画素内に存在するＤＣオフセットが原因である２つの画素に蓄積された電荷の差により引き起こされた残差の電圧を計測する、２つの画素を、並列に相互に接続することにより修正されている。測定された電圧は、この測定電圧を低減させるため、換言すればゼロにするために、複数の画素のためのその後の駆動信号電圧を修正するために用いられ、このようにして画素におけるＤＣオフセットを原因とする表示のアーチフェクトを低減することができる。この発明は、透過可能タイプの液晶表示装置に特に適用可能なものである。
【００３４】
現在の開示の内容から、多数の他の変形や変更がこの技術分野における熟練した技術者にとって明らかである。このような変形や変更は、この技術分野ですでに公知であり、かつ、この明細書において既に開示された特徴の代わりにまたはこれらの特徴に加えて用いられるであろう他の特徴を含んでいても良い。
【図面の簡単な説明】
【００３５】
【図１】公知のマトリックス表示装置における具体的なＬＣセル用の伝導率−電圧（Ｔ−Ｖ）関係を示すグラフである。
【図２】本発明による表示装置の実施形態の一部分を概略的に示す回路図である。
【図３】フレーム期間内の図２の回路に供給される信号波形の例を示すグラフである。
【図４】本発明によるフリッカ訂正をせずに時間に対して具体的なＬＣセルを通過する電圧の波形のグラフである。
【図５】本発明によるフリッカ訂正をして時間に対してＬＣセルを通過する電圧の波形のグラフである。
【図６】本発明による表示装置の実施形態を概略的に示す説明図である。
【図７】本発明の１つのアスペクトによる好適な画素レイアウトを有する表示装置を概略的に示す説明図である。
【国際公開パンフレット】
2005501272.tif 000003
2005501272.tif 000004
2005501272.tif 000005
2005501272.tif 000006
2005501272.tif 000007
2005501272.tif 000008
2005501272.tif 000009
2005501272.tif 000010
2005501272.tif 000011
2005501272.tif 000012
2005501272.tif 000013
2005501272.tif 000014
2005501272.tif 000015
2005501272.tif 000016
2005501272.tif 000017
2005501272.tif 000018
2005501272.tif 000019
2005501272.tif 000020
【国際公開パンフレット（コレクトバージョン）】
2005501272.tif 000021
【国際調査報告】
2005501272.tif 000022
2005501272.tif 000023